(57)【要約】【課題】任意の光学的構成要素からの到着光ビーム（Ｌ）を別の伝送用光導波ファイバ（Ｆ）に光学的に結合するための装置（Ｖ）を提供する。【解決手段】本装置は、各場合において、光（Ｌ）を通すための中央リードスルー（１３、２２）を各々備えた入力側及び出力側の結合器本体（１、２）を含み、入力側結合器本体（１）と出力側結合器本体（２）との間には、同心のリードスルー（３４）を備えた中間結合器本体（３）が配置され、この中間結合器本体は、入力側及び出力側の結合器本体（１、２）のうちの一方に変位自在に且つ一つの平面内に係止可能に保持されており、入力側及び出力側の結合器本体（１、２）のうちの他方は、中間結合器本体（３）に弾性的（２５）に枢動自在に取り付けられている。【選択図】図１
2004512576.tif 000002
【特許請求の範囲】
【請求項１】
光（Ｌ）を通すための中央リードスルー（１３、２２）を各々備えた入力側及び出力側の結合器本体（１、２）を各場合に含む、任意の光学的構成要素からの到着光ビーム（Ｌ）を別の伝送用光導波ファイバ（Ｆ）に光学的に結合するための装置（Ｖ）であって、少なくとも一つのレンズ（４０）又はレンズシステムが配置された装置（Ｖ）において、
前記入力側結合器本体（１）と前記出力側結合器本体（２）との間には、同心のリードスルー（３４）を備えた中間結合器本体（３）が配置され、この中間結合器本体は、前記入力側及び出力側の結合器本体（１、２）のうちの一方に変位自在に且つ一つの平面内に係止可能に保持されており、前記入力側及び出力側の結合器本体（１、２）のうちの他方は、前記中間結合器本体（３）に弾性的（２５）に枢動自在に且つ軸線方向に変位自在に取り付けられていることを特徴とする装置。
【請求項２】
前記中間結合器本体（３）が配置された前記結合器本体（１）は、前記中央リードスルー（１３）に対して垂直方向に延び且つ周囲カラー（１２）によって取り囲まれた平らなフランジ（１１）を有し、このフランジを幾つかの第１調節ねじ（１７）及び少なくとも一つの第１係止ねじ（１８）が通過し、これらのねじが前記中間結合器本体（３）に作用することを特徴とする、請求項１に記載の装置。
【請求項３】
前記フランジ（１１）の中央と整合した第１調節ねじ（１７）が二つだけ設けられており、反力部材として前記カラー（１２）に保持されたねじ山を備えたばねピン（１９）が各第１調節ねじ（１７）と直径方向に向き合って配置されていることを特徴とする、請求項２に記載の装置。
【請求項４】
前記フランジ（１１）の中央に差し向けられた一つの第１係止ねじ（１８）が、ねじ山を備えた二つのばねピン（１９）の間に設けられていることを特徴とする、請求項３に記載の装置。
【請求項５】
前記中間結合器本体（３）は、本質的に、截頭錐体（３０）の形状を有し、この截頭錐体は、その平らなベース面が一つの前記結合器本体（１）の前記フランジ（１１）の平らな表面（１４）に変位自在に載止していることを特徴とする、請求項１に記載の装置。
【請求項６】
前記截頭錐体（３９）の外面（３１）には研削によって面取り（３２）が形成されており、これらの面取りは、前記第１調節ねじ（１７）、前記第１係止ねじ（１８）、及び前記ねじ山を備えたばねピン（１９）が設けられている場合にはこれらのばねピンが作用する載止面として役立つことを特徴とする、請求項２又は５に記載の装置。
【請求項７】
前記カラー（１２）を通過した前記ねじ（１７、１８）、及び前記ねじ山を備えたばねピン（１９）は、前記截頭錐体形状の中間結合器本体（３）の前記外壁面（３１）に垂直に置かれるように配置されていることを特徴とする、請求項３又は５に記載の装置。
【請求項８】
前記中間結合器本体（３）は円筒形受け入れボア（３３）を有し、このボアは、中央リードスルー（３４）に関して延びており、このボア内に前記結合器本体（２）の円筒形チューブ区分（２１）が半径方向の周状の弾性円筒形区分（２５）を間に配置して枢着されていることを特徴とする、請求項２乃至７のうちのいずれか一項に記載の装置。
【請求項９】
前記截頭錐体形状の中間結合器本体（３）に取り付けられた前記結合器本体（２）はフランジ（２３）を有し、このフランジを三つの第２係止ねじ（２９）が通過し、これらの係止ねじが截頭錐体の上面に設けられたねじ穴（３５）と係合し、前記フランジ（２３）に設けられたねじ穴（２７）を三つの第２調節ねじ（２８）が通過し、これらの調節ねじは、截頭錐体の上面上に直接又はポケット穴（３６）内に支持されることを特徴とする、請求項８に記載の装置。
【請求項１０】
前記中間結合器本体（３）は第１結合器本体内に配置されていない状態では、本質的にディスクとして設計されており、これを三つの第２係止ねじ（３９）が通過しており、これらの係止ねじは、これらの係止ねじが通過した一つの結合器本体（２）上に弾性的に支持されており、前記中間結合器本体（３）にねじ連結で連結されており、三つの周囲調節ねじ（３８）が設けられ、これらの調節ねじは結合器本体（２）にねじ連結で保持されており、前記結合器本体（２）を前記係止ねじ（３９）が自由に移動できるように通過しており、前記調節ねじは前記中間結合器本体（３）上に支持されていることを特徴とする、請求項２乃至７のうちのいずれか一項に記載の装置。
【請求項１１】
前記中間結合器本体（３）の上カバー面には、前記截頭錐体（３０）の前記リードスルー（３３、３４）と軸線方向で面一のリードスルーを持つ円筒形延長部（３７）が連結されており、前記一つの結合器本体（２）は、第２調節ねじ（２８）によってその中に枢動自在に保持されており且つ第２係止ねじ（２９）によって固定されていることを特徴とする、請求項８に記載の装置。
【請求項１２】
前記装置（Ｖ）には少なくとも一つのレンズ（４０）又はレンズシステムが配置されていることを特徴とする、請求項１乃至１１のうちのいずれか一項に記載の装置。
【請求項１３】
各場合において、光導波ファイバ（Ｆ）が両結合器本体（１、２）に連結されており、前記入力側結合器本体（１）にはコリメーティングレンズ（４０）又はコリメーティングレンズシステムが配置されており、前記中間結合器本体（３）又は前記出力側結合器本体（２）には焦合レンズ（４０）又は焦合レンズシステムが配置されていることを特徴とする、請求項１乃至１２のうちのいずれか一項に記載の装置。
【発明の詳細な説明】
【０００１】
本発明は、任意の光学的構成要素からの到達光ビームを別の光導波ファイバに光学的に結合するための装置に関する。
【０００２】
ガラスファイバ導波路を介して伝送される光による情報及びエネルギーの伝送は、３０年以上に亘って知られている。完全なファイバ束による伝送は、通常は、非常に短い距離に亘ってしか行われない。これに対し、情報は、単一のガラスファイバラインを介して長距離に亘って導かれる。同時に幾つもの結合箇所が存在する。特に、一方では光ビームをファイバに供給するための結合箇所、及び他方ではファイバからファイバへの結合が行われる様々な連結位置にある結合箇所が存在する。勿論、各結合箇所ではエネルギが或る程度失われてしまう。二つのファイバ間の最良の可能な結合は、両ファイバの端部を研磨して滑らかな表面にし、これを互いに平らに押し付けることによって行われる。この種の連結は、高度に正確な加工を必要とし、永久的な連結部にしか適していない。
【０００３】
光の伝送を離脱自在に結合するため、平行化した光ビームを焦合レンズ又は焦合レンズシステムによって別の光伝送ファイバに供給する。結合位置のところで、伝送損失をできるだけ少なくして伝送を行うため、到着光ビームを、光を更に伝送する光導波路と高度に正確に軸線方向で面一に整合させることができなければならない。これは、多くの様々な方法で行うことができる。例えば、米国特許第４，０８７，１５５号から、ファイバ−ファイバ結合を行うためのプラグ連結体が知られている。このプラグ連結体では、結合されるべきファイバを光学的レンズシステムなしで互いに直接正確に導くことができる。個々のファイバの各々は、同時に、結合器上で僅かにずらすことができる弾性取り付けされた少なくとも三つの球形のボール間に載ることとなる。
【０００４】
米国特許第４，２９６，９９９号は、全く異なる解決策を示す。ここでは、二つの結合器本体が互いにできるだけ正確に且つしっかりと連結され、そのため中央位置からの軸線方向変位が実際上全く起こらない。この連結の各ファイバは、各場合において、レンズ又はレンズシステムに連結され、これらのレンズ又はレンズシステムは、焦合を行う目的のため、軸線方向（ｚ軸方向）に互いに対して移動するか或いは互いから遠ざけることができる。
【０００５】
欧州特許第Ｂ　０　１９８　６５７号は特に基本的なものであり、ここには、光源と光導波ファイバとの間を光学的に結合するための装置、並びに二つの光導波ファイバ間の結合器が記載されており且つ例示されている。これと同時に、二つの基本的な原理が開示されている。一方の場合では、焦合レンズを備えた少なくとも一つの光導波路がスリーブ内に保持されており、このスリーブは、スリーブに被せたゴム製の弾性的な可撓性チューブを中間に配置して、結合器チューブ内に保持される。半径方向（ｘ軸方向及びｙ軸方向）に変位させることができるスリーブに半径方向に作用するねじによって、第２の固定的に配置された光導波路装置に対して角度的に整合した状態を設定できる。ｚ軸方向での焦合調節は考えられていないけれども、設計に関して考慮が払われる。第２の解決策では、結合器本体はフランジとして形成されている。周囲に配置された、ピッチが異なるねじにより、一方では、二つのフランジを互いにｚ軸方向に移動でき、ｘ方向及びｙ方向で所望の角度位置に調節できる。
【０００６】
従って、周知の結合装置は必要な移動を全て行うことができるけれども、調節にはそれでも非常に時間がかかり、適切な経験を必要とする。これは、周知の解決策では、角度調節並びにｘｙ平面内での平行変位を同じねじで行わなければならないためである。かくして、現在の技術では、角度調節に伴って僅かにずれてしまうことは不可避であった。そのため、軸線からのこのわずかなずれは、多くの場合、角度位置の調節を再び行わなければならなくなる新たな再調節を行わなくても済むようにするために受け入れられてきた。
【０００７】
従って、本発明の目的は、入力側及び出力側の結合器本体の互いに対する角度位置調節及び平行変位を別々に行うことができる装置を提供することである。
【０００８】
この目的は、特許請求の範囲の請求項１に記載の特徴を備えた装置によって達成される。
【０００９】
本発明の要旨のその他の有利な実施の形態は、従属項から導き出され、それらの有利性を以下に添付図面を参照して説明する。
【００１０】
任意の光学的構成要素からの到着光ビームを、更に伝送する光導波ファイバＦに光学的に連結するための本発明による装置の全体に参照符号Ｖが付してある。図１に第１の実施の形態を示す光学的結合装置Ｖは三つの主要な構成要素を有する。入力側結合器本体１、出力側結合器本体２、及びこれらの間に配置された、中間結合器本体３として示す結合器本体がある。「出力側結合器本体」及び「入力側結合器本体」という用語は、常に相互交換的であるため、本明細書中の以下においては、これらの二つの部材のうちの一方を意味する場合、結合器本体とだけ記載し、これらの間に設けられた部材は、常に「中間結合器本体」と記載する。入力側結合器本体１の形状は、実際には、入力側の光学的構成要素がどのように見えるのかだけで決まる。光源、詳細にはレーザー装置、ビームスプリッター、又は入力側光導波ファイバが光学的構成要素と考えられる。
【００１１】
入力側結合器本体１は、周囲カラー１２が周囲に一体成形された末端フランジ１１を持つチューブ部品１０を有する。このチューブ部品１０は、入力側結合器本体１の中央リードスルーを同時に形成する。カラー１２によって境界が定められたフランジ１１の表面は、平らな表面１４として設計されている。この平らな表面１４は非常に高精度で製造されており、その上に載った中間結合器本体３用の摺動面として役立つ。カラー１２には幾つかの、好ましくは４個のねじ穴１５が設けられており、これらのねじ穴は周囲に亘って均等に分配されており、中央に向かって差し向けられている。これらの４個のねじ穴１５は、二つの第１調節ねじ１７又はねじ山を備えた二つのばねピン１９を受け入れるようになっている。二つの隣接したねじ穴１５間の中央に配置された第５ねじ穴１６は、第１係止ねじ１８を受け入れるのに役立つ。
【００１２】
中間結合器本体３は平らな表面１４上に変位自在に配置されている。この中間結合器本体３は截頭錐体形状を有する。これと同時に、円筒形截頭錐体又は多角形形状のベース面を持つ截頭錐体であってもよい。截頭錐体３が平らな表面１４上で捩じれないようにするため、好ましくは、外面３１に研削で面取り３２を形成し、対応する第１調節ねじ１７、第１係止ねじ１８、又はねじ山を備えたばねピン１９がこれらの面取りに当接する。これは、図４から最も明らかである。
【００１３】
２つの第１調節ねじ１７は互いに垂直であり、そのため一方の第１調節ねじがｘ軸方向での変位に作用し、他方の第１調節ねじがｙ軸方向での変位に作用する。ねじ山を備えたばねピン１９が各第１調節ねじと直径方向で向き合って配置されており、第１調節ねじ１７並びにねじ山を備えたばねピン１９は、カラー１２を中央軸線の方向に貫通したねじ穴１５内に保持される。第１係止ねじ１８が二つのねじ山を備えたばねピン１９間に配置されており、この係止ねじは、同様に、中央軸線の方向に向かって差し向けられている。
【００１４】
ねじ山を備えたばねピン１９に代えて、カラー１２と中間結合器本体３との間に遠ざけ力成分を発生し、及びかくして中間結合器本体３を第１調節ねじ１７に押し付ける他の部材を使用できる。ねじ山を備えたばねピン１９に対する変形例は、例えば、カラー１２と中間結合器本体３との間の容積に組み込んだ弾性部材（ｅｌａｓｔｉｃ ｍａｓｓ）である。しかしながら、ねじ山を備えたばねピン１９の代わりに別のねじを適用してもよい。かくして、この変形例は、カラーのねじ穴１５にねじ込まれて中間結合器本体をしっかりと保持する三つ又はそれ以上のねじを含む。これにより、調節ねじと係止ねじとの間で区別の必要がない。傾斜した外面又は傾斜した研削面取り２３により、第１調節ねじ１７、第１係止ねじ１８、及びねじ山を備えたばねピン１９が、截頭錐体３０を平らな表面１４に押し付ける作用を持つ力成分を截頭錐体３０に加える。この押し付け力は、ねじ穴１５の傾斜によって実際上無限に設定できる。
【００１５】
ポケット穴ボア３３が截頭錐体３０の中央に小さい方の上面から形成されている。その中央には、中央リードスルー３４が、好ましくは、円筒形のボアとして設けられている。中央に取り付けられた出力側結合器本体２はこの中央ポケット穴ボア３３と係合する。この結合器本体もまた、末端フランジ２３で終端するチューブ部品２１を含む。このチューブ部品２１及び末端フランジ２３は、中央リードスルー２２を有する。この中央リードスルー２２は、レンズキャリヤ４０のレンズ４０をねじでｚ軸方向に大きく又は小さく変位できる内ねじ２４を有する。
【００１６】
ポケット穴ボア３３の内周壁とチューブ部品２１との間には円筒形弾性区分２５が配置されている。この円筒形弾性区分２５は、ゴム製の弾性可撓性チューブ区分として設計されているか或いはポケット穴ボアの内壁をゴム層でコーティングし、これを加硫することによって形成されるように設計されているかのいずれかであるのがよい。この円筒形弾性区分２５により、出力側結合器本体２を中間結合器本体３に関して、及び入力側結合器本体１に関して僅かに傾けることができる。勿論、円筒形弾性区分２５に代えて、他の適当な弾性手段、例えばポケット穴ボア３３の内壁に沿って分配された複数の弾性部材を使用できる。
【００１７】
出力側結合器本体２の角度位置を入力側結合器本体１に合わせて調節するため、出力側結合器本体２のフランジ２３には通路穴２６及びねじ穴２７が交互に設けられている。第２係止ねじ２９を通路穴２６に通し、これをねじ山を備えたポケット穴３５と係合する。フランジ２３のねじ穴２７を通して第２調節ねじ２８を適用する。このねじは、中間結合器本体３で対応するポケット穴３６で支持される。ねじ山を備えていない通路穴２６及びポケット穴３６は、ねじの特定の傾斜移動を可能にするため、十分に広幅である必要がある。行われるべき傾斜移動は、通常は非常に小さく、０°乃至数°である。
【００１８】
図２に例示する第２の実施の形態に示すように、レンズキャリヤ４１内のレンズ４０もまた、中間結合器本体３の中央リードスルー３４にねじで変位できるように配置できる。光導波路Ｆには、出力側結合器本体２に固定的に又は取り外し自在に連結された商業的に入手可能な端部品Ｅが設けられている。
【００１９】
図３には、図１及び図２と実際上等価の、同様の第３の実施の形態が示してあり、ここでは、入力側結合器本体１は壁厚のチューブ部品１０を有し、このチューブ部品の入力側開口部には光導波ファイバＦが保持された端部品が設けられる。かくして、ここに示す解決策は、ファイバ−ファイバ連結を示す。この実施の形態では、コリメーティングレンズ又はコリメーティングレンズシステム４０が入力側結合器本体１に取り付けられ、反対側に配置された出力側結合器本体２のチューブ部品２１には焦合レンズ４０又は焦合レンズシステムが取り付けられている。この実施の形態のその他の構成は、図１及び図２による解決策と同じである。
【００２０】
図５には、中間結合器本体３の上カバー面に円筒形延長部３７が設けられた第４の実施の形態が示してある。この円筒形延長部３７は、中間結合器本体３に一部品として連結されている。これにより、二つの調節ねじ２８及び二つの係止ねじ２９をこの円筒形延長部品３７を通して半径方向にねじ込むことができる。これにより、出力側結合器本体２のチューブ部品２１に作用が及ぼされる。この場合、出力側結合器本体２は末端フランジ２３を必要としない。従って、この解決策は経済的である。第２調節ねじ２８及び第２係止ねじ２９は、一つの平面内にあるのがよい。この平面は、最も好ましくは、円筒形延長部３７と垂直に交差する。装置に更に大きな安定性を与えるため、図５に示す第２の調節ねじ及び係止ねじ２８、２９から軸線方向に離間された別の（図示していない）第２調節ねじ及び係止ねじを取り付けてもよい。これらの第２の調節ねじ及び係止ねじ２８、２９は、最適な傾斜移動を行うことができるように、円筒形弾性区分２５から十分に距離を置いて配置されなければならない。図５に示す実施の形態では、平行変位及び傾斜移動を互いに独立して行うことができるため、到達した光ビームＬを光導波ファイバＦに正確に整合させて導入できる。
【００２１】
更に、本発明による装置の第５の実施の形態を図６に垂直断面図で及び図７に部分平面図で示す。出力側結合器本体２は、この実施の形態では、中央通路穴２２を備えたディスクとして、又はリングとして形成されている。二つの調節ねじ３８及び二つの係止ねじ３９によって中間結合器本体３に関して調節自在であり、係止可能である。
【００２２】
出力側結合器本体２の角度位置を調節するため、第２調節ねじ３８が設けられている。これらの第２調節ねじ３８は、出力側環状結合器本体２の対応するねじ穴２７にねじ込んであり、出力側結合器本体２に面する中間結合器本体３の表面上に支持される。過剰調節が起こらないようにするため、好ましくは三つの第２調節ねじ３８だけを操作する。有利には、これらのねじは周囲に亘って均等に分配されている。
【００２３】
通路穴２６内の第２係止ねじ３９は環状の出力側結合器本体２を通過し、中間結合器本体３のねじ山を備えたポケット穴３５と螺合する。第２係止ねじ３９は、ばね部材４２で出力側結合器本体２の外側に支持されている。ばね部材４２は、第２係止ねじ３９のねじヘッド３９′と出力側結合器本体２との間に配置されている。ばね部材４２に関し、円筒形圧縮ばねの場合、又は適当なばねアッセンブリを形成する幾つかのばねディスクの場合がある。しかしながら、例えばプラスチックリング又はプラスチックディスク等の圧縮力が比較的大きいエラストマー製圧力部材もまたばね部材４２と考えられる。
【００２４】
第２係止ねじ３９及びばね部材４２の目的は、出力側結合器本体２と中間結合器本体３との間に引き付け力を及ぼすことである。第２調節ねじ３８は、対応する反力を及ぼす。この力により、出力側結合器本体２の中間結合器本体３に関する正確に画成された角度位置を設定する。従って、第２係止ねじ３９が通過する通路穴２６は、通路穴２６内の第２係止ねじ３９により出力側結合器本体２を必要とされる通りに傾斜移動できるように広幅に設計しなければならない。
【００２５】
第２係止ねじ３９の数は、それ自体は大きな役割を果たさないが、好ましくは、第２係止ねじ３９が３個設けられているのがよい。これと同時に、各場合において、第２係止ねじ３９が常に二つの調節ねじ３８間に設けられる。
【００２６】
第２調節ねじ３８は、中心からできるだけ大きく離して配置されているのが有利である。これにより、設定を更に正確に行うことができる。他方、このことは、第２係止ねじ３９についてはそれ程必要とされない。従って、図７は、第２調節ねじ３８及び第２係止ねじ３９の特に好ましい配置形態を示す。
【００２７】
図６及び図７による実施の形態により、出力側結合器本体２を中間結合器本体３に対してｚ軸方向でどのように離間することもできる。従って、ｘｙ方向で比較的大きく補正することが必要な場合には、出力側結合器本体２と中間結合器本体３との間のｚ軸方向距離は、この傾斜移動を可能にするために十分に大きくなければならない。これは、図６及び図７による実施の形態では全く問題なく行うことができる。
【００２８】
汚染物や外光が外部から装置に侵入しないようにし、特にレンズ４０又はファイバ端が汚れないようにするのが特に有利である。このため、様々な解決策が可能な一種の光学的シールを実現する。装置の設定後、収縮性可撓性チューブを装置に取り付けることができる。出力側結合器本体２と中間結合器本体３との間の隙間に亘って延び且つ中間結合器本体３の別の中央リードスルー穴３４内に突出したスリーブ４３を、出力側結合器本体２の中央通路穴２２に設けてもよい。
【００２９】
勿論、レンズ又はレンズシステム４０を中間結合器本体３に配置してもよい。両方の変形例において、レンズ又はレンズシステム４０はレンズキャリヤ４１内に保持でき、レンズキャリヤ４１はｚ軸方向で変位自在であるように設計されていてもよい。
【図面の簡単な説明】
【図１】
入力側でレーザー装置から到達した光ビームを出力側の光導波ファイバに供給する、本発明による装置の垂直断面図である。
【図２】
同様の構造種類の装置の第２の実施の形態の垂直断面図である。
【図３】
二つの光導波ファイバを連結するための装置の第３の実施の形態の垂直断面図である。
【図４】
図１、図２及び図３による、本発明による連結装置の出力側の端面図である。
【図５】
半径方向に差し向けられたねじによって角度調節を行う、本発明による連結装置の第４の実施の形態の垂直断面図である。
【図６】
本発明による連結装置の第５の実施の形態の垂直断面図である。
【図７】
図６による連結装置の出力側の中央部分の平面図である。
【符号の説明】
Ｅ　端部品
Ｆ　光導波ファイバ
Ｌ　光ビーム
Ｖ　装置
１　入力側結合器本体
２　出力側結合器本体
３　中間結合部品
１０　チューブ部品
１１　フランジ
１２　カラー
１３　入力側中央導波路
１４　平らな表面
１５　カラーのねじ穴
１６　係止ねじ用ねじ穴
１７　第１調節ねじ
１８　第１係止ねじ
１９　ねじ山を備えたばねピン
２１　チューブ部品
２２　中央リードスルー
２３　末端フランジ
２４　内ねじ
２５　円筒形弾性区分
２６　通路穴
２７　ねじ穴
２８　第２調節ねじ
２９　第２係止ねじ
３０　截頭錐体
３１　外面
３２　面取り
３３　ポケット穴
３４　中間結合器本体の中央リードスルー
３５　ねじ山を備えたポケット穴
３６　ポケット穴
３７　円筒形延長部
３８　第２調節ねじ
３９　第２係止ねじ
４０　レンズ
４１　レンズキャリヤ
４２　ばねエレメント
４３　スリーブ
【国際公開パンフレット】
2004512576.tif 000003
2004512576.tif 000004
2004512576.tif 000005
2004512576.tif 000006
2004512576.tif 000007
2004512576.tif 000008
2004512576.tif 000009
2004512576.tif 000010
2004512576.tif 000011
2004512576.tif 000012
2004512576.tif 000013
2004512576.tif 000014
2004512576.tif 000015
2004512576.tif 000016
2004512576.tif 000017
2004512576.tif 000018
2004512576.tif 000019
2004512576.tif 000020
2004512576.tif 000021
2004512576.tif 000022
2004512576.tif 000023
2004512576.tif 000024
2004512576.tif 000025
2004512576.tif 000026
2004512576.tif 000027
2004512576.tif 000028
2004512576.tif 000029
2004512576.tif 000030
【国際公開パンフレット（コレクトバージョン）】
2004512576.tif 000031
2004512576.tif 000032
【国際調査報告】
2004512576.tif 000033
2004512576.tif 000034
2004512576.tif 000035
2004512576.tif 000036
2004512576.tif 000037
2004512576.tif 000038